(57)【要約】【課題】形状に自由度があるホーンアンテナ装置を提供する。【解決手段】フランジ３１が形成された中空の矩形導波管３と、この矩形導波管３の中空部分に固定されるアンテナ部２とを備えたホーンアンテナ装置１である。アンテナ部２は、略台形の４枚の板部４〜７が上底及び上底よりも長い下底で矩形を成すように構成されており、上底側で矩形導波管３の中空部分と一連になるように接続される。板部４、６は、板部５、７と接触する面に開口部が設けられる。板部５、７は、板部４、６と接触する辺に嵌合部が設けられる。嵌合部が、板部５、７の開口部に挿入されて固定される。各板部４〜７の接触部分は、接着剤により固定される。【選択図】図１
2009038727.tif 000002
【特許請求の範囲】
【請求項１】
フランジが形成された中空の矩形導波管と、この矩形導波管の中空部分に固定されるアンテナ部とを備えており、
前記アンテナ部は、略台形の４枚の板が上底及び上底よりも長い下底で矩形を成すように構成されており、上底側で前記矩形導波管の中空部分と一連になるように接続される、
ホーンアンテナ装置。
【請求項２】
前記４枚の板は、他の板と接触する面に開口部が設けられるとともに、他の板と接触する辺に嵌合部が設けられており、前記嵌合部が、他の板の開口部に挿入されて固定されるようになっている、
請求項１記載のホーンアンテナ装置。
【請求項３】
前記４枚の板は、他の板との接触面が接着剤により固定されている、
請求項１または２記載のホーンアンテナ装置。
【請求項４】
フランジが形成された中空の導波管と、この導波管の中空部分に固定されるアンテナ部とを備えており、
前記アンテナ部は、略台形の複数の板が、上底及び上底よりも長い下底で前記導波管の断面形状と同じ形状を成すように構成されており、上底側で前記導波管の中空部分と一連になるように接続される、
ホーンアンテナ装置。
【発明の詳細な説明】
【技術分野】
【０００１】
本発明は、ホーンアンテナ装置に関する。
【背景技術】
【０００２】
ホーンアンテナ装置は、設計通りの特性を得やすいために普及しているアンテナの一つである。ホーンアンテナ装置は、例えば、断面が矩形又は円形の中空導波管により形成されており、導波管の基端から先端に向かって徐々に断面積が広くなっている。ホーンアンテナ装置は、先端が開口端になっており、基端が他の導波管に接続される。
【０００３】
このような形状のホーンアンテナ装置は、従来、ダイキャスト、ロストワックス、電鋳等の鋳物にて製作される。特許文献１は、鋳物を切削加工してホーンアンテナ装置を製作するための技術を提供している。
【特許文献１】特開平５−１１０３３０号公報
【０００４】
鋳物にて製作されるホーンアンテナ装置は、一体形成されているために持ち運びが不便である。そのために、特許文献２にあるように、分割可能にしたホーンアンテナ装置が提案されている。
【特許文献２】特開平６−２８３９２１号公報
【発明の開示】
【発明が解決しようとする課題】
【０００５】
ダイキャストやロストワックスによる製作は、少量生産に不向きである。逆に、電鋳による製作は、大量量産品に不向きである。また、いずれも高価な型を用意する必要がある。アンテナパターン等の電気特性は、ホーンアンテナ装置の形状（ホーンの長さ、角錐・円錐をホーンの形の基準とした場合の頂角（中心角）等）に依存する。そのために、電気特性を変更したい場合には、ホーンアンテナ装置を作り直さなければならない。しかし、鋳物に用いる型を改めて作る必要があるために、ホーンアンテナ装置の製作コストが高くなり、電気特性の変更に迅速に対応できない。特許文献２に示す技術でも、組み上がりのホーンアンテナ装置の形状が決まっているので、上記のような問題は解決されない。
【０００６】
本発明は、上記の問題を鑑み、形状に自由度があるホーンアンテナ装置を提供することを課題とする。
【課題を解決するための手段】
【０００７】
上記の課題を解決する本発明のホーンアンテナ装置は、フランジが形成された中空の矩形導波管と、この矩形導波管の中空部分に固定されるアンテナ部とを備えており、前記アンテナ部は、略台形の４枚の板が上底及び上底よりも長い下底で矩形を成すように構成されており、上底側で前記矩形導波管の中空部分と一連になるように接続される。
また、他のホーンアンテナ装置は、フランジが形成された中空の導波管と、この導波管の中空部分に固定されるアンテナ部とを備えており、前記アンテナ部は、略台形の複数の板が、上底及び上底よりも長い下底で前記導波管の断面形状と同じ形状を成すように構成されており、上底側で前記導波管の中空部分と一連になるように接続される。
【０００８】
アンテナ部を複数の板で形成する。板なので長さを容易に調整でき、中心角の自由度も大きくなる。そのために、ホーンアンテナ装置の形状を簡単に変えることができ、電気特性の変化を容易に行えるようになる。また、板を組み合わせて用いるので、経済的に安価で、製作時間も短縮できる。
【０００９】
このようなホーンアンテナ装置では、例えば前記４枚の板が、他の板と接触する面に開口部が設けられるとともに、他の板と接触する辺に嵌合部が設けられている場合に、前記嵌合部を、他の板の開口部に挿入して固定する。このような構成では、容易にアンテナ部の組み立てを行うことができる。また、前記４枚の板を、他の板との接触面が接着剤により、例えば、蝋付けにより固定すると、アンテナ部の密閉性が増し、板間の隙間からの電波の漏れを防止できる。
【発明の効果】
【００１０】
以上のような本発明のホーンアンテナによれば、アンテナ部を板を組み合わせて製作するために、形状の自由度が増し、電気特性を容易に変化させることができる。また、板の組み合わせであるので、安価で容易に製作できる。
【発明を実施するための最良の形態】
【００１１】
以下、本発明のホーンアンテナ装置の実施形態を図面を参照して説明する。
【００１２】
図１は、本実施形態のホーンアンテナ装置の全体の斜視図である。このホーンアンテナ装置１は、アンテナ部２とフランジ３１を備えた矩形導波管３とを備えている。アンテナ部２は、矩形のホーンアンテナであり、板部４〜７により構成されている。矩形導波管３は、フランジ３１により図示しない他の導波管に接続可能になっているとともに、アンテナ部２が接続されている。
【００１３】
図２は、ホーンアンテナ装置１の構成を説明するための図である。アンテナ部２を構成する４枚の板部４〜７には、２種類ある。アンテナ部２は、２種類の板部４〜７を組み合わせることで構成される。板部４と板部６とは同じ形状であり、板部５と板部７とは同じ形状である。
【００１４】
板部４、６は、略台形であり、下底が上底よりも長くなっている。上底側は、突出部４１、６１が設けられており、この部分が矩形導波管３に接続される。上底と下底とを結ぶ２辺に沿って開口部４２、６２が設けられている。図２では、各辺に沿って２つずつ開口部４２、６２が設けられているが、これはいくつであってもかまわない。開口部４２、６２は、各辺の延びる方向にスリット状に設けられている。
【００１５】
板部５、７は、略台形であり、下底が上底よりも長くなっており、上底側が矩形導波管３に接続される。板部５、７は、上底と下底とを結ぶ２辺に嵌合部５１、７１が設けられている。図２では、各辺に沿って２つずつ嵌合部５１、７１が設けられているが、これはいくつであってもかまわない。
【００１６】
アンテナ部２の組み立て時には、板部５、７の嵌合部５１、７１が板部４、６の開口部４２、６２に挿入される。板部５、７の嵌合部５１、７１は、板部４、６の開口部４２、６２に挿入されたときに開口部４２、６２に隙間ができないような大きさである。板部４〜７は、組み立て時にそれぞれの接続部分が蝋付け等のように、接着剤を用いて固定される。
【００１７】
矩形導波管３は、中空導波管であり周囲にフランジ３１が設けられた構成である。フランジ３１により他の導波管に接続可能になっている。中空部分には、アンテナ部２の板部４〜７が挿入されて接着剤等により固定される。アンテナ部２が固定されることで、図３に示すように、中空部分が矩形導波管３からアンテナ部２まで一連に形成される。
【００１８】
このようなホーンアンテナ装置１は、アンテナ部２が４枚の独立して板部４〜７で構成されるので、板部４、６の開口部４２、６２の位置を変更するだけで、容易に中心角を変更することができる。また、各板部３〜７の上底から下底までの距離を変えることで、容易に、アンテナ部２の長さを変化させることができる。これらの変化により、容易にホーンアンテナ装置１の電気特性を変化させることが可能となる。また、板による構成であるために安価であり、特殊な加工などは不要である。
この実施形態では、板部４〜７によりアンテナ部２を構成したが、板部の数はフランジ部３の導波管の断面形状に応じた形状を形成できれば、いくつであっても構わない。
【図面の簡単な説明】
【００１９】
【図１】本実施形態のホーンアンテナ装置の全体の斜視図である。
【図２】ホーンアンテナ装置の構成の説明図である。
【図３】ホーンアンテナ装置の中空部分の説明図である。
【符号の説明】
【００２０】
１  ホーンアンテナ装置
２  アンテナ部
３  矩形導波管
３１  フランジ部
４〜７  板部
４１、６１  突出部
４２、６２  開口部
５１、７１  嵌合部
【図１】
2009038727.tif 000003
【図２】
2009038727.tif 000004
【図３】
2009038727.tif 000005